(57)【要約】　　　（修正有）【課題】焼却しやすく、針金等を使うことなく、糊付けを必要とせず、また荷崩れしないソーラーパネル用梱包箱を提供する。【解決手段】一方のシート２ａの表面３の横に折目Ａ，Ｂを介して側面４と裏面５ａを連接し、他方のシート２ｂの裏面５ｂの横に折目Ｉ，Ｊを介して巻込側面１６と巻込面１７とを連接するとともに前記側面４と裏面５ｂ間の折目Ｂには前記裏面側５ｂに突出する舌片１８，１８の切目１９を穿設し、表面３の上方には、折目Ｃ，Ｄを介して上面６と折返上面７を連接するとともに表面３の下方には、折目Ｅ，Ｆを介して下面８と折返下面９を連接し、前記側面４の上下方向の横には折目Ｇ，Ｈを介して上下フラップ部１０，１１を連接し、前記裏面５ａの上下には、上係止片１２と下係止片１３を連接し、前記折返上下面７，９には前記上下係止片１２，１３を差し込むための差込孔からなる係止部１４，１５を穿設したものからなる。【選択図】　　図１
0003097147.tif 000002
【実用新案登録請求の範囲】
【請求項１】
ソーラーパネル枠の長手方向を両側面から被覆して包装するための左右一対のシートからなるソーラーパネル用梱包箱であって、一方のシートの表面の横に折目を介して側面と裏面を連接し、他方のシートの裏面の横に折目を介して巻込側面と巻込面とを連接するとともに前記側面と裏面間の折目には前記裏面側に突出する舌片の切目を穿設し、前記表面の上方には、折目を介して上面と折返上面を連接するとともに前記表面の下方には、折目を介して下面と折返下面を連接し、前記側面の上下方向の横には折目を介して上下フラップ部を連接し、前記裏面の上下には、上係止片と下係止片を連接し、前記折返上下面には前記上下係止片を差し込むための差込孔からなる係止部を穿設したことを特徴とするソーラーパネル用梱包箱。
【請求項２】
請求項１に記載のソーラーパネル用梱包箱において、上下係止片は横に張り出したロック部を設け、前記上下面と折返上下面間の折目には、該折返上下面側に突出する舌片の切目を各々穿設したことを特徴とするソーラーパネル用梱包箱。
【考案の詳細な説明】
【０００１】
【考案の属する技術分野】
本考案は、ソーラーパネル枠の両側面を被覆してコーナーを保護するようにしたソーラーパネル用の簡易梱包箱に関するものである。
【０００２】
【従来の技術】
従来、屋根の上に設置して温水を作るための太陽電池モジュ−ル用のソーラーパネルは、アルミ枠の内部にガラスが入っており大型のものなので、コーナーに発泡スチロ−ル等の緩衝材を当てて、これを針金で縛り付けたり、平止鋲で固定させて、安全に輸送しうるように包装していた。そのため、緩衝材が嵩高になり、枠を傷つけやすく、解くのにも面倒であり、また焼却にも不便であった。
【０００３】
発泡スチロ−ルを使用しない枠用緩衝材としては、ソーラーパネル用の梱包箱ではないが、次のような先行技術がある。実開平５−７６６１号公報は、物品の外縁部に対する保護体であるが、柔軟性厚紙の両面にクラフト紙を貼着するという積層紙に関するものである。また実開平７−３３８７７号公報は、物品のコーナー部に対する紙製保護体であるが、コーナーに凸状の膨出を形成させるというものである。
【０００４】
そして、実開平１−１２８５６５号公報は、板状建材の梱包構造であるが、側面当て部を糊で貼着するものである。さらに特開２０００−２４７３６９号公報は、一枚のブランクに折目を形成さして被包装物を入れるようにした段ボ−ル緩衝材であるが、両端部に緩衝用の段部を設けるというものであった。しかし、ソーラー電池用のパネルであるアルミ枠の場合は、そう重いものでもないのでフラットでよく、面倒な段部は敢えて必要としない。
【０００５】
紙製の包装品は、一般に組立に際して糊付けするようにしている。しかし、糊付けをしたものは、解くのに手間を要し好ましいものではなかった。また、ソーラーパネルは、何枚も重ねて梱包したものが輸送されるので、荷崩れしないようにする必要がある。
【０００６】
【考案が解決しようとする課題】
上記の事情に鑑み本考案は、焼却しやすく、針金等を使うことなく、糊付けを必要とせず、また荷崩れしないソーラーパネル用梱包箱の提供を課題とする。
【０００７】
【課題を解決するための手段】
本考案は上記目的を達成するために、ソーラーパネル枠の長手方向を両側面から被覆して包装するための左右一対のシートからなるソーラーパネル用梱包箱であって、一方のシート表面の横に折目を介して側面と裏面を連接し、表面の上方には、折目を介して上面と折返上面を連接するとともに表面の下方には、折目を介して下面と折返下面を連接し、前記側面の上下方向の横には折目を介して上下フラップ部を連接し、前記裏面の上下には、上係止片と下係止片を連接したことものからなり、各折目を内側に折曲し前記係止部に係止片を係止させて組立て、該組立パネルを積み重ねて輸送する際に前記舌片によって荷崩れしないようにしたソーラーパネル用梱包箱を構成するものである。
【０００８】
【考案の実施の態様】
以下、本考案の実施例を図面に基づいて詳しく説明する。図１は本考案のソーラーパネル用梱包箱の一実施例を示す展開平面図、図２は同ソーラーパネル用梱包箱の組立手順を示し、（イ）は折り曲げ前の状態を示すコーナー周りの拡大斜視図、（ロ）は上面と折返上面の折り曲げた状態を示すコーナー周りの拡大斜視図、（ハ）は上面と折返上面の折り曲げた状態を示すコーナー周りの拡大斜視図、上差込孔に上差込片を差し込む状態を示すコーナー周りの拡大斜視図、（ニ）は組立上がりの状態を示すコーナー周りの拡大斜視図である。図３は同ソーラーパネル用梱包箱でパネル枠を包装した状態を示す裏面図、図４は図１の▲１▼部分を拡大した平面図、図５は図３を▲２▼−▲２▼部分で切断した断面図、図６は本考案のソーラーパネル用梱包箱で包装したパネル枠を、積み重ねてＰＰバンドで締め付けた輸送状態を示す斜視図である。
【０００９】
図３と図６に示す本考案のソーラーパネル用梱包箱１は、パネル枠Ｗａの長手方向Ｌｎを両側面から被覆して包装するための左右一対のシートからなっている。両一対のシートは、展開状態で図１に示す各一枚のシート２ａ，２ｂの１ピ−スからなっており、シート２ａは、左の表面３から始まり、横に折目Ａ，Ｂを介して側面４，裏面５ａを連接している。
【００１０】
また表面３の上方には、折目Ｃ，Ｄを介して上面６と折返上面７を連接している。一方表面３の下方には、折目Ｅ，Ｆを介して下面８と折返下面９を連接している。そして上下面６，８の側面４の上下方向の横には、折目Ｇ，Ｈを介して上下フラップ部１０，１１を連接している。
【００１１】
さらに、裏面５ａの上下には、上係止片１２と下係止片１３を連接している。なお上下係止片１２，１３は、横に張り出したロック部１２ａ，１３ａを設けている。
【００１２】
そして、表面３の折返上下面７，９には、上下係止片１２，１３を差し込むための差込孔からなる係止部１４，１５を穿設しており、差し込んだ際にロック部１２ａ，１３ａでロックして係止され、抜けにくいようにしている。
【００１３】
またシート２ｂの裏面５ｂの一方には、折目Ｉ，Ｊを介して巻込側面１６と巻込面１７を連接している。これは図５に示すように、ソーラーパネル用の電線コ−ドＣｄを収納するためのものである。
【００１４】
側面４と裏面５ｂ，５間の折目Ｂには、図４に示すような裏面５ｂ側に突出する舌片１８，１８の切目１９，１９を図１のように２個穿設している。また図１のように、上下面６，８と折返上下面７，９間の折目Ｄ，Ｆには、折返上下面７，９側に突出する舌片１１８，１１８の切目１１９，１１９を各々穿設している。これらの舌片１８，１８，１１８，１１８は、折り畳んだ際に図５のように突出するので、図６のように組立パネル枠を積み重ねた際、下のパネルを押さえるようになるので、輸送する際に舌片１８，１８，１１８，１１８によって、相互のパネル枠が一体になったままで荷崩れしないようになる。本実施例の場合、舌片１８の方は２ｍｍ高さで１５０ｍｍ幅であり、舌片１１８の方は２ｍｍ、高さで３０ｍｍ幅であり、各２個によって安定した状態に固定される。なおＢａは、積み重ねた組立パネル枠を、縛りつけるＰＰバンドである。
【００１５】
図２は、本考案のソーラーパネル用梱包箱１の組立手順を示している。（イ）は、枠Ｗａの上コーナーの上面にはシート２の上面６を、横には側面４を当てて折り曲げる前の状態を示している。
【００１６】
（ロ）は、上面６と折返上面７を折り曲げて、枠Ｗａの上面を被覆した状態を示している。次の（ハ）は、側面（図示せず）と裏面５を折り曲げて、折返上面７上に裏面５を重ね、上係止部１４に上係止片１２を差し込んだ状態を示している。この差し込んだ際には、ロック部１２ａが上係止部１４内に入り込んでロックし係止されるので、抜けにくくなる。そして（ニ）は、枠Ｗａのコーナー周りを、本考案のソーラーパネル用梱包箱１で被覆し、組立上がった状態を示している。
【００１７】
この組立て完了の時点で、直角水平に曲げて差し込んだ、図２（ハ）の係止片１２は、枠Ｗａの水平枠の下面と垂直枠の側面（図示せず）を、当接密着してガタツキをなくしているので、強固にロックされる。
【００１８】
なお、枠Ｗａの下コーナーをシート２の下面８、折返下面９を折り曲げて枠Ｗａのコーナーの下面を被覆する手順も、上記枠のコーナーの上面を被覆する手順と同様に行うことができる。
【００１９】
そして図６のように、本考案のソーラーパネル用梱包箱の表面には、「太陽電池モジュ−ル」「ガラス注意」「落下厳禁」等の文字が印刷２０されている。
【００２０】
【考案の効果】
本考案のソーラーパネル用梱包箱は、紙製のみからなり、針金等を使うことなく、糊付けを必要としないので、焼却に支障なく、被包装物を傷付けることもない。
【００２１】
本考案のソーラーパネル用梱包箱は、差込片によるロック機構にしているので確実に固定でき、コーナーを安全に保護することができる。
【００２２】
本考案は、両ピ−スからなるシート状態で納入されるため嵩をとらず、組立てはワンタツチでき、作業効率とともに包装コストも安価にすることができた。
【００２３】
本考案のソーラーパネル用梱包箱は、突出する舌片を設けるようにしたので、積み重ねて荷造りする際に上下が一体になり、輸送に際して荷崩れする恐れがない。
【図面の簡単な説明】
【図１】本考案のソーラーパネル用梱包箱の一実施例を示す展開平面図である。
【図２】同ソーラーパネル用梱包箱の組立手順を示し、（イ）は折り曲げ前の状態を示すコーナー周りの拡大斜視図、（ロ）は上面と折返上面の折り曲げた状態を示すコーナー周りの拡大斜視図、（ハ）は上面と折返上面の折り曲げた状態を示すコーナー周りの拡大斜視図、上差込孔に上差込片を差し込む状態を示すコーナー周りの拡大斜視図、（ニ）は組立上がりの状態を示すコーナー周りの拡大斜視図である。
【図３】同ソーラーパネル用梱包箱でパネル枠を包装した状態を示す裏面図である。
【図４】図１の▲１▼部分を拡大した平面図である。
【図５】図３を▲２▼−▲２▼部分で切断した断面図である。
【図６】本考案のソーラーパネル用梱包箱で包装したパネル枠を、積み重ねてＰＰバンドで締め付けた輸送状態を示す斜視図である。
【符号の説明】
１　　　　　：　ソーラーパネル用梱包箱
２ａ，２ｂ　：　シート
３　　　　　：　表面
４　　　　　：　側面
５，５ｂ　　：　裏面
６　　　　　：　上面
７　　　　　：　折返上面
８　　　　　：　下面
９　　　　　：　折返下面
１０　　　　：　上フラップ部
１１　　　　：　下フラップ部
１２　　　　：　上係止片
１３　　　　：　下係止片
１２ａ　　　：　上ロック部
１３ａ　　　：　下ロック部
１４　　　　：　上係止部
１５　　　　：　下係止部
１６　　　　：　巻込側面
１７　　　　：　巻込面
１８　　　　：　舌片
１９　　　　：　舌片の切目
２０　　　　：　印刷
Ａ，Ｂ，Ｃ，Ｄ，Ｅ，Ｆ，Ｇ，Ｈ，Ｉ，Ｊ　：　折目
Ｂａ　　　　：　積み重ねたパネル枠を縛り付けたバンド
Ｃｄ　　　　：　ソーラーパネル用の電線コ−ド
Ｌｎ　　　　：　ソーラーパネル枠の長手方向
Ｗａ　　　　：　ソーラーパネルの枠
【図１】
0003097147.tif 000003
【図２】
0003097147.tif 000004
【図３】
0003097147.tif 000005
【図４】
0003097147.tif 000006
【図５】
0003097147.tif 000007
【図６】
0003097147.tif 000008